【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
シート状の紙製ブランクにより形成されたカートンに用いるカートン用ジッパーであって、
第１切れ目線と第２切れ目線とを有し、
第１切れ目線が、複数の第１切込み（１０、２０）を間隔を介して列状に配設してなり、
第１切込みが、
第１傾斜部（１２、２２）と、第１傾斜部の一方の端部である第１接触点（ｍ１２、ｍ２２）から形成された第２傾斜部（１４、２４）とを有し、第１傾斜部が、第１傾斜部の他方の端部である第１端部（ｍ１１、ｍ２１）と第１接触点間に直線状に形成され、第２傾斜部が、第１接触点と第２傾斜部における第１接触点とは反対側の端部である第２端部（ｍ１３、ｍ２３）間に直線状に形成され、
第１端部と第１接触点とが、ジッパー開封方向の仮想直線で第２端部を通る仮想直線（ｅ１６、ｅ２６）を介して両側に配置され、
第２傾斜部のジッパー開封方向において後側への仮想延長線（ｆ１４、ｆ２４）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部が、第１接触点が第２端部よりもジッパー開封方向において前側に位置するように仮想直線に対して傾斜して形成され、
第１傾斜部の該仮想直線との間の鋭角の角度（α１１、α２１）が、第２傾斜部の該仮想直線との間の鋭角の角度（α１２、α２２）よりも大きく形成され、
第２切れ目線が、第１切れ目線との間の中心線を介して対称形状に形成され、第２切れ目線が、複数の第２切込み（２０、１０）を間隔を介して列状に配設してなり、第２切れ目線における各第２切込みが該中心線を介して第１切れ目線における第１切込みと対称形状に形成されていることを特徴とするカートン用ジッパー。
【手続補正２】
【補正対象書類名】特許請求の範囲
【補正対象項目名】請求項２
【補正方法】変更
【補正の内容】
【請求項２】
シート状の紙製ブランクにより形成されたカートンに用いるカートン用ジッパーであって、
第１切れ目線と第２切れ目線とを有し、
第１切れ目線が、複数の第１切込み（１０）を間隔を介して列状に配設してなり、
第１切込みが、
第１傾斜部（１２）と、第２傾斜部（１４）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、
第１傾斜部が、第１傾斜部の他方の端部である第１端部（ｍ１１）と第１接触点間に直線状に形成され、
第２傾斜部が、第２接触点と第２傾斜部における第２接触点とは反対側の端部である第２端部（ｍ１３、ｍ２３）間に直線状に形成され、
第１端部と第１接触点とが、ジッパー開封方向の仮想直線で第２端部を通る仮想直線（ｅ１６、ｅ２６）を介して両側に配置され、
第２傾斜部のジッパー開封方向において後側への仮想延長線である仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部が、第１接触点が第２端部よりもジッパー開封方向において前側に位置するように仮想直線に対して傾斜して形成され、
第１傾斜部の該仮想直線との間の鋭角の角度（α１１）が、第２傾斜部の該仮想直線と
の間の鋭角の角度（α１２）よりも大きく形成され、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正３】
【補正対象書類名】明細書
【補正対象項目名】００２３
【補正方法】変更
【補正の内容】
【００２３】
本発明は上記問題点を解決するために創作されたものであって、第１には、シート状の紙製ブランクにより形成されたカートンに用いるカートン用ジッパーであって、第１切れ目線と第２切れ目線とを有し、第１切れ目線が、複数の第１切込み（１０、２０）を間隔を介して列状に配設してなり、第１切込みが、第１傾斜部（１２、２２）と、第１傾斜部の一方の端部である第１接触点（ｍ１２、ｍ２２）から形成された第２傾斜部（１４、２４）とを有し、第１傾斜部が、第１傾斜部の他方の端部である第１端部（ｍ１１、ｍ２１）と第１接触点間に直線状に形成され、第２傾斜部が、第１接触点と第２傾斜部における第１接触点とは反対側の端部である第２端部（ｍ１３、ｍ２３）間に直線状に形成され、第１端部と第１接触点とが、ジッパー開封方向の仮想直線で第２端部を通る仮想直線（ｅ１６、ｅ２６）を介して両側に配置され、第２傾斜部のジッパー開封方向において後側への仮想延長線（ｆ１４、ｆ２４）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部が、第１接触点が第２端部よりもジッパー開封方向において前側に位置するように仮想直線に対して傾斜して形成され、第１傾斜部の該仮想直線との間の鋭角の角度（α１１、α２１）が、第２傾斜部の該仮想直線との間の鋭角の角度（α１２、α２２）よりも大きく形成され、第２切れ目線が、第１切れ目線との間の中心線を介して対称形状に形成され、第２切れ目線が、複数の第２切込み（２０、１０）を間隔を介して列状に配設してなり、第２切れ目線における各第２切込みが該中心線を介して第１切れ目線における第１切込みと対称形状に形成されていることを特徴とする。
【手続補正４】
【補正対象書類名】明細書
【補正対象項目名】００２７
【補正方法】変更
【補正の内容】
【００２７】
また、第２には、シート状の紙製ブランクにより形成されたカートンに用いるカートン用ジッパーであって、第１切れ目線と第２切れ目線とを有し、第１切れ目線が、複数の第１切込み（１０）を間隔を介して列状に配設してなり、第１切込みが、第１傾斜部（１２）と、第２傾斜部（１４）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、第１傾斜部が、第１傾斜部の他方の端部である第１端部（ｍ１１）と第１接触点間に直線状に形成され、第２傾斜部が、第２接触点と第２傾斜部における第２接触点と
は反対側の端部である第２端部（ｍ１３）間に直線状に形成され、第１端部と第１接触点とが、ジッパー開封方向の仮想直線で第２端部を通る仮想直線（ｅ１６）を介して両側に配置され、第２傾斜部のジッパー開封方向において後側への仮想延長線である仮想延長線（ｆ１６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部が、第１接触点が第２端部よりもジッパー開封方向において前側に位置するように仮想直線に対して傾斜して形成され、第１傾斜部の該仮想直線との間の鋭角の角度（α１１）が、第２傾斜部の該仮想直線との間の鋭角の角度（α１２）よりも大きく形成され、  第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。